(57)【要約】【課題】利用者の健康情報や生活情報を容易に取得し、複数の環境において情報を共有することにより相互に利用することができる健康管理システムを提供する。【解決手段】健康管理システム１００において、利用者は電子ペン１０を使用して生活に関する情報をチェック帳票４へ記入する。端末装置２５は、利用者によるチェック帳票４への記入データに含まれるドットパターン上の記入位置座標に基づいて生活情報を特定し、管理する。一方、病院５０において、医者等は電子ペン１０を使用して利用者の健康に関する情報を健康手帳３へ記入する。病院サーバ５は、医者等による健康手帳３への記入データに含まれるドットパターン上の記入位置座標に基づいて健康情報を特定し、管理する。そして、端末装置２５と病院サーバ５は自身が管理している生活情報と健康情報をそれぞれ交換する。交換後、病院サーバ５は健康情報と生活情報を病院情報として記憶する。これによれば、生活情報及び健康情報を容易に取得して共有することができ、重要な健康を管理する情報として相互に利用することができる。【選択図】      図７
2005031881.tif 000002
【特許請求の範囲】
【請求項１】
インクペンユニット及び光学的にドットパターンを読み取る読取ユニットを備える電子ペンと、利用者が使用する端末装置と、病院が使用する病院サーバとがネットワークを介して通信可能な状態で接続されており、前記電子ペンにより認識可能なドットパターンが印刷されている電子ペン用帳票を使用した健康管理システムにおいて、
前記電子ペン用帳票は、前記電子ペンにより前記利用者の健康に関する情報が記入される手帳型帳票と、前記電子ペンにより前記利用者の生活に関する情報が記入されるチェック型帳票と、を含んでおり、
前記端末装置は、
前記手帳型帳票に記入された手帳データから前記病院サーバが特定した健康情報を受信する第１健康情報受信手段と、
受信した前記健康情報を記憶する健康情報記憶手段と、
前記電子ペンにより前記チェック型帳票に記入されたチェックデータを取得するチェックデータ取得手段と、
前記チェックデータに含まれる前記ドットパターン上の位置座標に基づいて前記生活に関する情報を特定する生活情報特定手段と、
特定した前記生活情報を記憶する生活情報記憶手段と、
前記生活情報を前記病院サーバへ送信する第１生活情報送信手段と、を備え、
前記病院サーバは、
前記端末装置から前記生活情報を受信する第１生活情報受信手段と、
前記電子ペンにより前記手帳型帳票に記入された手帳データを取得する手帳データ取得手段と、
前記手帳データに含まれる前記ドットパターン上の位置座標に基づいて前記健康に関する情報を特定する健康情報特定手段と、
前記電子ペンの識別情報であるペン識別情報に対応付けて、前記生活情報及び前記健康情報を病院情報として記憶する病院情報記憶手段と、
前記健康情報を前記端末装置へ送信する第１健康情報送信手段と、を備えることを特徴とする健康管理システム。
【請求項２】
前記端末装置は、前記健康に関する情報の平常値、及び前記生活に関する情報の平常値を平常値情報として記憶する平常値情報記憶手段と、
前記健康情報に含まれる値が前記健康に関する情報の平常値に含まれるか否かを判定する健康判定手段と、
前記生活情報に含まれる値が前記生活に関する情報の平常値に含まれるか否かを判定する生活判定手段と、
前記健康判定手段及び前記生活判定手段により、前記健康に関する情報の平常値又は前記生活に関する情報の平常値に含まれないと判定された値に基づいて注意情報を作成する注意情報作成手段と、
前記注意情報を前記病院サーバへ送信する注意情報送信手段と、をさらに備えることを特徴とする請求項１に記載の健康管理システム。
【請求項３】
前記病院サーバは、
前記健康に関する情報の平常値、及び前記生活に関する情報の平常値を平常値情報として記憶する平常値情報記憶手段と、
前記平常値情報を前記端末装置へ送信する平常値情報送信手段と、をさらに備え、
前記端末装置は、
前記病院サーバから前記平常値情報を受信する平常値情報受信手段と、
前記健康情報に含まれる値が前記健康に関する情報の平常値に含まれるか否かを判定する健康判定手段と、
前記生活情報に含まれる値が前記生活に関する情報の平常値に含まれるか否かを判定する生活判定手段と、
前記健康判定手段及び前記生活判定手段により、前記健康に関する情報の平常値又は前記生活に関する情報の平常値に含まれないと判定された値に基づいて注意情報を作成する注意情報作成手段と、
前記注意情報を前記病院サーバへ送信する注意情報送信手段と、をさらに備えることを特徴とする請求項１に記載の健康管理システム。
【請求項４】
前記健康管理システムにおいて、管理センターが使用する管理サーバが、前記電子ペン、前記端末装置及び前記病院サーバとネットワークを介して通信可能に接続されており、
前記病院サーバは、
前記健康情報を前記管理サーバへ送信する第２健康情報送信手段と、
前記管理サーバにより作成された差分情報を受信する差分情報受信手段と、
前記差分情報に基づいて前記病院情報を更新する病院情報更新手段と、をさらに備え、
前記管理サーバは、
複数の前記病院サーバから、複数の前記健康情報を受信する第２健康情報受信手段と、
前記ペン識別情報に対応付けて、複数の前記健康情報を利用者情報として記憶する利用者情報記憶手段と、
前記利用者情報に基づいて各病院サーバから取得した前記健康情報の差分情報を作成する差分情報作成手段と、
前記差分情報を前記各病院サーバへ送信する差分情報送信手段と、
前記利用者情報に基づいて前記利用者への告知情報を作成する告知情報作成手段と、
前記告知情報を前記端末装置へ送信する告知情報送信手段と、
複数の前記端末装置から複数の前記生活情報を受信する第２生活情報受信手段と、
管理するための識別情報である管理識別情報を発行し、前記管理識別情報に対応付けて、前記健康情報及び前記生活情報を管理情報として記憶する管理情報記憶手段と、
前記管理情報に基づいて、複数の利用者の健康及び生活に関する統計情報を作成し、前記手帳型帳票に反映する統計情報反映手段と、を備え、
前記端末装置は、
前記管理サーバから前記告知情報を受信する告知情報受信手段と、
前記管理サーバへ前記生活情報を送信する第２生活情報送信手段と、をさらに備えることを特徴とする請求項１乃至３のいずれか一項に記載の健康管理システム。
【請求項５】
インクペンユニット及び光学的にドットパターンを読み取る読取りユニットを備える電子ペンにより記入される電子ペン用帳票に含まれる手帳型帳票であって、
前記手帳型帳票を利用する利用者の健康に関する情報に対応するドットパターンが印刷されており、前記電子ペンを使用して前記健康に関する情報を特定するための記入が行われる複数の項目を備えることを特徴とする手帳型帳票。
【請求項６】
前記電子ペン用帳票はさらにチェック型帳票を含んでおり、
前記利用者の生活に関する情報に対応するドットパターンが印刷されており、前記電子ペンを使用して前記生活に関する情報を特定するための記入が行われる前記チェック型帳票と一体化されていることを特徴とする請求項５に記載の前記手帳型帳票。
【発明の詳細な説明】
【０００１】
【発明の属する技術分野】
本発明は、電子ペンを使用することにより、容易に複数の環境において情報を利用することができる技術に関する。
【０００２】
【従来の技術】
自治体にて発行される母子健康手帳は、母親や出産後の子供の検診記録を紙面上で一元管理している。また、一部の病院では、母子健康手帳に記入された検診記録を電子データ化して管理している。
【０００３】
【発明が解決しようとする課題】
しかし、病院が検診記録を電子データ化して管理するためには、病院のスタッフが母子健康手帳に記入された検診記録をパンチ入力する必要があった。そのため、パンチ入力における人為的ミスにより、母子健康手帳に記入された検診記録と病院が管理している電子データの検診記録が食い違うことがあった。
【０００４】
また、母子健康手帳に記入された検診記録は、一部の病院を除き電子データ化されていない場合が多く、自治体において電子データによる一元管理は行っていない。そのため、自治体では「公費負担による予防接種を受けたか否か」といった母子に関する情報を調査するために多大な時間とコストを費やしていた。さらに、妊娠期間中は里帰りなどにより転院することも多いが、複数の病院間において母子に関する情報の電子データによる共有もされていないのが現状である。そのため、母子健康手帳の紛失時は、それまでの検診記録を修復することが困難であるという問題も生じていた。
【０００５】
また、従来の母子健康手帳は、検診結果や予防接種の履歴といった最低限の情報しか記入することができない。しかし、実際に母子の健康を管理するためには、子供の睡眠時間やミルクの量といった幅広い生活に関する情報が必要である。母親が母子健康手帳とは別に子供の生活に関する情報を育児日記として記録することも考えられるが、育児をしながら当該情報を詳細に記録することは大きな負担であり限界があった。このようなことから、子供の健康状態に異変があったときに母子健康手帳に記入された事項だけでは情報が不足しているという問題も生じていた。
【０００６】
本発明は、以上の点に鑑みてなされたものであり、利用者の健康情報や生活情報を容易に取得し、複数の環境において情報を共有することにより相互に利用することができる健康管理システムを提供することを課題とする。
【０００７】
【課題を解決するための手段】
本発明の１つの観点では、インクペンユニット及び光学的にドットパターンを読み取る読取ユニットを備える電子ペンと、利用者が使用する端末装置と、病院が使用する病院サーバとがネットワークを介して通信可能な状態で接続されており、前記電子ペンにより認識可能なドットパターンが印刷されている電子ペン用帳票を使用した健康管理システムにおいて、前記電子ペン用帳票は、前記電子ペンにより前記利用者の健康に関する情報が記入される手帳型帳票と、前記電子ペンにより前記利用者の生活に関する情報が記入されるチェック型帳票と、を含んでおり、前記端末装置は、前記手帳型帳票に記入された手帳データから前記病院サーバが特定した健康情報を受信する第１健康情報受信手段と、受信した前記健康情報を記憶する健康情報記憶手段と、前記電子ペンにより前記チェック型帳票に記入されたチェックデータを取得するチェックデータ取得手段と、前記チェックデータに含まれる前記ドットパターン上の位置座標に基づいて前記生活に関する情報を特定する生活情報特定手段と、特定した前記生活情報を記憶する生活情報記憶手段と、前記生活情報を前記病院サーバへ送信する第１生活情報送信手段と、を備え、前記病院サーバは、前記端末装置から前記生活情報を受信する第１生活情報受信手段と、前記電子ペンにより前記手帳型帳票に記入された手帳データを取得する手帳データ取得手段と、前記手帳データに含まれる前記ドットパターン上の位置座標に基づいて前記健康に関する情報を特定する健康情報特定手段と、前記電子ペンの識別情報であるペン識別情報に対応付けて、前記生活情報及び前記健康情報を病院情報として記憶する病院情報記憶手段と、前記健康情報を前記端末装置へ送信する第１健康情報送信手段と、を備える。
【０００８】
上記のように構成された健康管理システムにおいて、手帳型帳票は例えばドットパターンの印刷された電子ペン用帳票により構成された母子健康管理手帳などであり、利用者は健康管理手帳を使用する母子などである。健康管理システムにおいて、利用者は電子ペンを使用して生活に関する情報をチェック型帳票へ記入する。利用者の自宅環境にある端末装置は、利用者によるチェック型帳票への記入データに含まれるドットパターン上の記入位置座標に基づいて当該生活に関する情報を特定し、管理する。一方、病院において、医者等は電子ペンを使用して利用者の健康に関する情報を手帳型帳票へ記入する。病院サーバは、医者等による手帳型帳票への記入データに含まれるドットパターン上の記入位置座標に基づいて当該健康に関する情報を特定し、管理する。そして、端末装置と病院サーバは自身が管理している生活情報と健康情報をそれぞれ交換する。交換後、病院サーバは健康情報と生活情報を病院情報として記憶する。これによれば、自宅における利用者や病院における医者等は生活情報及び健康情報を共有し、重要な健康を管理する情報として相互に利用することができる。
【０００９】
上記健康管理システムの一態様では、前記端末装置は、前記健康に関する情報の平常値、及び前記生活に関する情報の平常値を平常値情報として記憶する平常値情報記憶手段と、前記健康情報に含まれる値が前記健康に関する情報の平常値に含まれるか否かを判定する健康判定手段と、前記生活情報に含まれる値が前記生活に関する情報の平常値に含まれるか否かを判定する生活判定手段と、前記健康判定手段及び前記生活判定手段により、前記健康に関する情報の平常値又は前記生活に関する情報の平常値に含まれないと判定された値に基づいて注意情報を作成する注意情報作成手段と、前記注意情報を前記病院サーバへ送信する注意情報送信手段と、をさらに備える。
【００１０】
上記のように構成された健康管理システムにおいて、端末装置は、予め記憶された平常値情報と自身が特定した生活情報を比較することにより、特異な生活情報に基づいて注意情報を作成する。また、端末装置は、予め記憶された平常値情報と病院サーバより取得した健康情報を比較することにより、特異な健康情報に基づいて注意情報を作成する。そして、作成した注意情報を病院サーバへ送信する。これによれば、利用者は特異な生活習慣や健康状態を端末装置により認識することができる。また、病院サーバが注意情報も取得し管理することで、医者は特異な生活習慣や健康状態を認識し、考慮した上で利用者の検診を行うことができる。よって、医者は口頭で利用者から得た情報のみで検診するときよりも情報が多い分的確な診断を行うことができる。
【００１１】
上記健康管理システムの他の一態様では、前記病院サーバは、前記健康に関する情報の平常値、及び前記生活に関する情報の平常値を平常値情報として記憶する平常値情報記憶手段と、前記平常値情報を前記端末装置へ送信する平常値情報送信手段と、をさらに備え、前記端末装置は、前記病院サーバから前記平常値情報を受信する平常値情報受信手段と、前記健康情報に含まれる値が前記健康に関する情報の平常値に含まれるか否かを判定する健康判定手段と、前記生活情報に含まれる値が前記生活に関する情報の平常値に含まれるか否かを判定する生活判定手段と、前記健康判定手段及び前記生活判定手段により、前記健康に関する情報の平常値又は前記生活に関する情報の平常値に含まれないと判定された値に基づいて注意情報を作成する注意情報作成手段と、前記注意情報を前記病院サーバへ送信する注意情報送信手段と、をさらに備える。
【００１２】
上記のように構成された健康管理システムにおいて、端末装置は、予め記憶された平常値情報を病院サーバから取得する。ここで、平常値情報は、健康に関する情報や生活に関する情報の全国平均の値等を平常値として含んでいる。端末装置は、病院サーバから取得した平常値情報と生活情報や健康情報を比較することにより注意情報を作成することができる。そして、作成した注意情報を病院サーバへ送信する。これによれば、利用者や医者は、当該利用者の特異な生活習慣や健康状態を容易に認識することができる。
【００１３】
上記健康管理システムのさらに他の一態様では、前記健康管理システムにおいて、管理センターが使用する管理サーバが、前記電子ペン、前記端末装置及び前記病院サーバとネットワークを介して通信可能に接続されており、前記病院サーバは、前記健康情報を前記管理サーバへ送信する第２健康情報送信手段と、前記管理サーバにより作成された差分情報を受信する差分情報受信手段と、前記差分情報に基づいて前記病院情報を更新する病院情報更新手段と、をさらに備え、前記管理サーバは、複数の前記病院サーバから、複数の前記健康情報を受信する第２健康情報受信手段と、前記ペン識別情報に対応付けて、複数の前記健康情報を利用者情報として記憶する利用者情報記憶手段と、前記利用者情報に基づいて各病院サーバから取得した前記健康情報の差分情報を作成する差分情報作成手段と、前記差分情報を前記各病院サーバへ送信する差分情報送信手段と、前記利用者情報に基づいて前記利用者への告知情報を作成する告知情報作成手段と、前記告知情報を前記端末装置へ送信する告知情報送信手段と、複数の前記端末装置から複数の前記生活情報を受信する第２生活情報受信手段と、管理するための識別情報である管理識別情報を発行し、前記管理識別情報に対応付けて、前記健康情報及び前記生活情報を管理情報として記憶する管理情報記憶手段と、前記管理情報に基づいて、複数の利用者の健康及び生活に関する統計情報を作成し、前記手帳型帳票に反映する統計情報反映手段と、を備え、前記端末装置は、前記管理サーバから前記告知情報を受信する告知情報受信手段と、前記管理サーバへ前記生活情報を送信する第２生活情報送信手段と、をさらに備える。
【００１４】
上記のように構成された健康管理システムにおいて、管理センターは、例えば、自治体や保険所などである。健康管理システムにおいて、病院サーバは自身が特定した健康情報を管理サーバへ送信する。また、端末装置は自身が特定した生活情報を管理サーバへ送信する。管理サーバは、複数の病院サーバから取得した健康情報を利用者情報として記憶し、ペン識別情報をキーとして利用者の健康情報を一元管理する。さらに、ペン識別情報をキーとして一元管理している健康情報と各病院サーバから取得した健康情報の差分情報を作成し、該当する病院サーバへ送信する。
【００１５】
ここで、差分情報について具体的に説明する。例えば、利用者が里帰りなどで病院Ａから病院Ｂへ転院し、転院前の病院Ａで「ポリオ」の予防接種を受けたとする。この場合、病院Ａは病院情報記憶手段により健康情報として「ポリオ」の予防接種を受けたことを記憶しているが、病院Ｂは健康情報として「ポリオ」の予防接種を受けたことを記憶していない。管理サーバは、各病院サーバから取得した健康情報を利用者情報として記憶しているため、病院Ａから取得した健康情報に基づいて、利用者が「ポリオ」の予防接種を受けたことを認識している。差分情報は利用者情報と各病院サーバが記憶している健康情報との差分であるため、管理サーバは、病院Ｂに利用者が「ポリオ」の予防接種を受けたことを差分情報として送信する。
【００１６】
これによれば、病院サーバは差分情報に基づいて病院情報を更新することができるため、利用者が複数の病院を使用した場合であっても常に健康情報の整合性を保つ事が可能となる。また、管理サーバは、ペン識別情報をキーとして一元管理している健康情報に基づいて、利用者に告知情報を容易に作成することができる。ここで、告知情報とは、例えば公費負担で受信することのできる予防接種の案内などである。よって、利用者は、管理サーバから受信する告知情報により容易に必要な検診等を認識することができる。
【００１７】
また、管理サーバは、複数の病院サーバから取得した健康情報と、複数の端末装置から取得した生活情報を管理情報として記憶し、利用者の健康及び生活に関する統計情報を作成する。そして、管理サーバは作成した統計情報を手帳型帳票に記載したり、端末装置や病院サーバへ送信したりすることにより当該統計情報を反映させる。これによれば、従来は困難であった細かい生活情報に関する統計情報も容易に作成することができる。また、利用者や医者等が詳細な統計情報を自由に利用することができる。
【００１８】
本発明の他の観点では、インクペンユニット及び光学的にドットパターンを読み取る読取りユニットを備える電子ペンにより記入される電子ペン用帳票に含まれる手帳型帳票であって、前記手帳型帳票を利用する利用者の健康に関する情報に対応するドットパターンが印刷されており、前記電子ペンを使用して前記健康に関する情報を特定するための記入が行われる複数の項目を備える。
【００１９】
上記の手帳型帳票によれば、記入者が所定の記入を行うと、電子ペンは電子ペンの移動に伴って手帳型帳票上のドットパターンを読取り、記入者が記入した事項の記入データを取得する。ここで、手帳型帳票は例えばドットパターンの印刷された電子ペン用帳票により構成された母子健康管理手帳などであり、利用者は健康管理手帳を使用する母子などである。また、記入者は、母親や医者等が挙げられる。これによれば、記入データを処理するアプリケーションは、記入データに基づいて利用者の健康に関する情報を容易に取得することができる。
【００２０】
上記手帳型帳票の他の一態様では、前記電子ペン用帳票はさらにチェック型帳票を含んでおり、前記利用者の生活に関する情報に対応するドットパターンが印刷されており、前記電子ペンを使用して前記生活に関する情報を特定するための記入が行われる前記チェック型帳票と一体化されている。上記の手帳型帳票では、利用者は一体化されているチェック型帳票に記入をする。これによれば、記入データを処理するアプリケーションは、利用者が当該チェック型帳票に記入を行った際の記入データに含まれるドットパターンに基づいて利用者の生活に関する情報を容易に取得することができる。
【００２１】
【発明の実施の形態】
以下、図面を参照して本発明の好適な実施の形態について説明する。まず、本発明のシステムにおいて入力デバイスとして使用される電子ペンの概要について説明する。
【００２２】
［電子ペン］
図１は電子ペンの使用形態を模式的に示す図であり、図２は電子ペンの構造を示す機能ブロック図である。図１に示すように、電子ペン１０は、ドットパターンが印刷された専用ペーパー２０と組み合わせて使用される。電子ペン１０は、通常のインクペンと同様のペン先部１７を備えており、利用者は通常のインクペンと同様に専用ペーパー２０上に文字などを書くことになる。
【００２３】
図２に示すように、電子ペン１０は、その内部にプロセッサ１１、メモリ１２、データ通信ユニット１３、バッテリー１４、ＬＥＤ１５、カメラ１６及び圧力センサ１８を備える。また、電子ペン１０は通常のインクペンと同様の構成要素としてインクカートリッジ（図示せず）などを有する。
【００２４】
電子ペン１０は、ペン先部１７により専用ペーパー２０上に描かれたインクの軌跡をデータ化するのではなく、専用ペーパー２０上で電子ペン１０が移動した軌跡座標をデータ化する。ＬＥＤ１５が専用ペーパー２０上のペン先部１７近傍を照明しつつ、カメラ１６が専用ペーパー２０に印刷されているドットパターンを読み取り、データ化する。つまり、電子ペン１０は専用ペーパー２０上で利用者が電子ペン１０を移動させることにより生じるストロークを画像データ又はベクトルデータとして取得することができる。
【００２５】
圧力センサ１８は、利用者が電子ペン１０により専用ペーパー上に文字などを書く際にペン先部１７に与えられる圧力、即ち筆圧を検出し、プロセッサ１１へ供給する。プロセッサ１１は、圧力センサ１８から与えられる筆圧データに基づいて、ＬＥＤ１５及びカメラ１６のスイッチオン／オフの切換を行う。即ち、利用者が電子ペン１０で専用ペーパー２０上に文字などを書くと、ペン先部１７には筆圧がかかる。よって、所定値以上の筆圧が検出されたときに、利用者が記述を開始したと判定して、ＬＥＤ１５及びカメラ１６を作動する。
【００２６】
カメラ１６は専用ペーパー２０上のドットパターンを読み取り、そのパターンデータをプロセッサ１１に供給する。プロセッサ１１は、供給されたドットパターンから、専用ペーパー２０上でのＸ／Ｙ座標を算出する。
【００２７】
プロセッサ１１は、利用者の記述が行われる間に、筆圧の配列データ及びＸ／Ｙ座標データを取得し、タイムスタンプ（時間情報）と関連付けてメモリ１２に記憶していく。よって、メモリ１２内には利用者の記述内容に対応するデータが時系列で記憶されていく。メモリ１２の容量は例えば１Ｍバイト程度とすることができる。
【００２８】
利用者により送信指示がなされるまでは、取得された全てのデータはメモリ１２内に保持される。そして、利用者が送信指示を行うと、データ通信ユニット１３により、電子ペン１０と所定距離内にある端末装置２５へメモリ１２内のデータが送信される。基本的には、一度送信指示がなされると、電子ペン１０はメモリ１２内に記憶していた全てのデータを端末装置２５へ送信するため、メモリ１２内はクリアされる。よって、送信後にもう一度同じ情報を端末装置２５へ送信したい場合には、利用者は専用ペーパー２０上に再度記述を行う必要がある。なお、この場合、利用者は専用ペーパー２０上にインクペンで書かれた文字などをなぞればよいことになる。
【００２９】
電子ペン１０自体は、送信ボタンなどの機能ボタンを備えておらず、送信指示その他の指示は、利用者が専用ペーパー２０上の所定位置に設けられた専用ボックスを電子ペン１０でチェックすることにより実行される。専用ボックスの位置座標には、予め送信指示が対応付けられており、プロセッサ１１は専用ボックスの位置座標を受信すると、データ通信ユニット１３にメモリ１２内のデータを供給し、端末装置２５への送信を行わせる。なお、電子ペン１０は、データの送信完了を電子ペンの振動により示すことができる。
【００３０】
バッテリー１４は電子ペン１０内の各要素に電源供給するためのものであり、例えば電子ペンのキャップ（図示せず）により電子ペン１０自体の電源のオン／オフを行うことができる。
【００３１】
このように、電子ペン１０は利用者が専用ペーパー２０上に記述した文字などに対応する座標データ及び筆圧データを取得して近傍の端末装置２５へ送信する機能を有するが、電子ペン１０のペン先部１７は通常のインクペンとなっているため、専用ペーパー２０上に記述した内容はオリジナルの原本として残るという特徴がある。即ち、紙の原本に対して記述するのと同時に、その内容を座標データなどの形態でリアルタイムに電子化することができる。
【００３２】
なお、電子ペン１０の標準機能によれば、電子ペン１０により得られるデータは、原則として座標データ又はベクトルデータの形態であり、テキストデータではない。但し、電子ペン１０は標準機能として、専用ペーパー２０上に設けられた専用エリアに記述することにより、英数字に限りテキスト化する機能は備えている。
【００３３】
また、電子ペン１０内には、ペン自体及びその所有者に関するプロパティ情報（ペン情報及びペン所有者情報）を保持することができ、アプリケーションから参照することができる。ペン情報としては、バッテリーレベル、ペンＩＤ、ペン製造者番号、ペンソフトウェアのバージョン、サブスクリプションプロバイダのＩＤなどを保持できる。また、ペン所有者情報としては、国籍、言語、タイムゾーン、ｅｍａｉｌアドレス、空きメモリ容量、名称、住所、ファックス／電話番号、携帯電話番号などを保持することができる。
【００３４】
なお、上記の例におけるデータ通信ユニット１３では、Ｂｌｕｅｔｏｏｔｈの無線伝送、ＵＳＢケーブルを使用した有線伝送、端子などの接触によるデータ伝送など、各種の方法によって電子ペン１０から端末装置２５へのデータ送信を行うことが考えられる。
【００３５】
次に、電子ペンにより利用者が記述した内容のＸ／Ｙ座標データを取得する方法について説明する。前述のように専用ペーパー２０には、所定のドットパターンが印刷されている。電子ペン１０のカメラ１６は、利用者が専用ペーパー２０上に記述したインクの軌跡を読み取るのではなく、専用ペーパー２０上のドットパターンを読み取る。実際、図１に示すように、ＬＥＤ１５による照明エリア及びカメラ１６の撮影エリア（照明エリア内に位置する）は、ペン先部１７が専用ペーパー２０に接触する位置とはずれている。
【００３６】
ドットパターンはカーボンを含む専用インキなどで印刷されており、カメラ１６はその専用インキによるパターンのみを認識することができる。専用インキ以外のインキ（カーボンを含まない）により、専用ペーパー上に罫線や枠などを印刷しても、電子ペンはそれらを認識することはない。よって、専用ペーパーを利用して各種申込書などの帳票を作成する際は、専用インキ以外のインキで入力枠や罫線、注意書きなどを印刷する。
【００３７】
ドットパターンは、図３に例示するように、各ドットの位置がデータに対応付けされている。図３の例では、ドットの位置を格子の基準位置（縦線及び横線の交差点）から上下左右にシフトすることにより、０〜３の２ビット情報を表示した例である。このようにして表現された情報の組合せにより、専用ペーパー上の位置座標が決定される。図４（ａ）に例示するように、縦横２ｍｍの範囲内に３６個のドットが格子状に配置され、これらのドットにより示されるデータの配列（図４（ｂ））が、その専用ペーパー上の位置座標と対応付けされている。よって、電子ペン１０のカメラ１６が図４（ａ）に示すようなドットパターンを撮影すると、プロセッサ１１はカメラ１６から入力されるドットパターンのデータに基づいて図４（ｂ）に示すデータ配列を取得し、それに対応する専用ペーパー上の位置座標（即ち、そのドットパターンがその専用ペーパー上のどの位置にあるのか）をリアルタイムで算出する。なお、ドットパターンを認識する最小単位は２ｍｍ×２ｍｍであり、カメラ１６は毎秒１００回程度の撮影を行う。
【００３８】
次に、専用ペーパーについて説明する。専用ペーパーの構造の一例を図５に示す。図示のように、専用ペーパー２０は、台紙３０上にドットパターン３２が印刷され、その上に罫線などの図案３４が印刷されている。台紙３０は通常は紙であり、ドットパターン３２は前述のようにカーボンを含んだ専用インキにより印刷される。また、通常のインキなどにより図案３４が印刷される。ドットパターンと図案とは同時に印刷してもよいし、いずれかを先に印刷してもよい。
【００３９】
図案３４の例を図６に示す。図６は、ある申込書３６の例であり、複数の記入欄３８や送信ボックス３９が印刷されている。図６には明確に図示されておらず、詳細は後述するが、実際にはドットパターンが申込書３６の全面に印刷されており、その上に記入欄３８や送信ボックス３９が通常のインキにより印刷されている。利用者は、ドットパターンを意識することなく、従来からある申込書と同様に、電子ペン１０を使用して必要事項を申込書３６の各記入欄３８に記入すればよい。
【００４０】
専用ペーパー２０上のエリアは大きく２種類のエリアに分けることができる。１つは記入エリアであり、電子ペン１０による記述内容をそのまま情報として取り扱うエリアである。図６の例では複数の記入欄３８がこれに該当する。もう１つは機能エレメントであり、対応するエリア内を電子ペン１０でチェックした際に、予めそのエリアに対して定義されているアクション、指示などを実行するようになっている。図６の例における送信ボックス３９がこれに該当する。
【００４１】
送信ボックス３９は前述したように電子ペン１０内に記憶されているデータを近傍の端末装置２５へ送信するための指示を行う際に使用される。利用者が送信ボックス３９内に電子ペン１０でチェックを入れると、電子ペン１０が送信ボックス内のドットパターンを読み取る。当該パターンは送信指示に対応付けられており、電子ペン１０内のプロセッサ１１はデータ通信ユニット１３にメモリ１２内の記憶データの送信命令を発する。
【００４２】
ドットパターンの割り当ては、通常、アプリケーション（用紙の種類）毎に行われる。即ち、ある申込書内のドットパターンは１枚の用紙の中で重複することはないが、同一の申込書には全て同じドットパターンが印刷されている。よって、利用者が電子ペン１０で必要事項を入力すると、その入力事項がその申込書のどの項目に対するものであるかを、申込書上の座標データから特定することができる。
【００４３】
このように、ドットパターンを印刷した専用ペーパー上に所定の図案を印刷することにより、専用ペーパーを利用した各種申込書が作成できる。利用者は電子ペン１０を使用して通常の要領で必要事項を記入すれば、その電子データが自動的に取得される。
【００４４】
上記の例では、ドットパターンは専用ペーパー上にカーボンを含むインキにより印刷されているが、プリンタ及びカーボンを含むインクを使用してドットパターンを通常の紙上にプリントすることも可能である。さらに、専用ペーパー上の図案も印刷ではなく、プリンタにより形成することも可能である。ドットパターンをプリンタにより紙上に形成する場合には、１枚１枚に異なるドットパターンを形成することが可能である。よって、形成されたドットパターンの違いにより、それらの用紙１枚１枚を識別し、区別することが可能となる。
【００４５】
なお、本明細書においては、「印刷」の語は、通常の印刷のみならず、プリンタによるプリントも含む概念とする。
【００４６】
次に、電子ペンにより取得したデータの送信処理について図２を参照して説明する。電子ペン１０が取得したデータは、主として利用者が入力した事項のデータであるが、通常はそのデータの送信先であるサービスサーバがどこであるかの情報は含まれていない。その代わりに、その専用ペーパーに関するアプリケーションやサービスを特定する情報が専用ペーパー上のドットパターンに含まれており、利用者の入力作業中に専用ペーパーからその情報が取得されている。よって、電子ペン１０から記入データを受け取った端末装置２５は、まず、問い合わせサーバ２６に対して、その専用ペーパーに対して入力されたデータをどのサービスサーバ２７へ送信すべきかの問い合わせを行う。問い合わせサーバ２６は、専用ペーパー毎に、対応するサービスサーバの情報を有しており、端末装置２５からの問い合わせに応じて、当該専用ペーパーに関するサービスなどを行うサービスサーバ２７の情報（ＵＲＬなど）を端末装置２５へ回答する。それから、端末装置２５は、電子ペンから取得した記入データをそのサービスサーバ２７へ送信することになる。
【００４７】
なお、上記の例では端末装置２５、問い合わせサーバ２６及びサービスサーバ２７が別個に構成されているが、これらの幾つか又は全てを１つの装置として構成することも可能である。本実施形態において、後述する病院サーバと管理サーバは、それぞれ問い合わせサーバ２６及びサービスサーバ２７を兼ねているものとする。
【００４８】
［健康管理システム］
次に、本発明に係る健康管理システムについて説明する。図７に健康管理システム１００の概略構成を示す。図７に示す健康管理システム１００は、自宅においてチェック帳票４に電子ペン１０を使用して生活に関する情報を記入することにより、時間と対応付けた当該生活に関する情報を電子データ化して自宅、病院５０及び情報管理センター６０で共有することができるシステムである。また、健康管理システム１００は、病院５０において健康手帳３に電子ペン１０を使用して健康に関する情報を記入することにより、時間と対応付けた当該健康に関する情報を電子データ化して病院５０、自宅及び情報管理センター６０で簡便に共有することができるシステムである。
【００４９】
図７に示すように、健康管理システム１００は、利用者の自宅にある端末装置２５、病院５０にある病院サーバ５及び情報管理センター６０にある管理サーバ６がネットワーク２を通じて接続されることにより構成される。ここで、情報管理センター６０は、例えば自治体や保険所などである。また、ネットワーク２の１つの好適な例はインターネットである。なお、病院サーバ５は病院データベース（以下、「ＤＢ」と呼ぶ。）５１と、管理サーバ６は管理ＤＢ６１及び利用者ＤＢ６２とそれぞれ接続されている。なお、便宜上図７では病院サーバ５と端末装置２５が１つずつネットワーク２に接続されているが、本来は複数の病院サーバ５と端末装置２５が接続されているものとする。
【００５０】
まず、本システムによる情報共有方法の概要を述べておく。利用者は、専用ペーパーによる複数のページで構成された健康を管理するための健康手帳３を保持している。ここで、健康手帳３とは、例えば自治体により発行され、母子の健康に関する情報が記入される母子健康手帳などである。また、健康手帳３には、専用ペーパーで構成された育児記録を総合的に管理するためのチェック帳票４が一体化されている。一体化されているとは、具体的に、健康手帳３にチェック帳票４がシールとして添付されている等である。なお、本実施形態において、利用者とは、健康手帳３及びチェック帳票４によって健康が管理される母及び子供の少なくとも一方を想定している。
【００５１】
自宅において利用者は、電子ペン１０を使用して、出産した子供の睡眠時間や食事といった生活に関する情報を記入することにより、時間と対応付けた生活情報を容易に取得し、端末装置２５で管理することができる。つまり、利用者は、電子ペン１０を使用してチェック帳票４へ記入するだけで、育児記録を電子データとして端末装置２５で管理することができる。さらに、端末装置２５が取得した生活情報を管理サーバ６へ送信することにより、情報管理センター６０は、複数の利用者の生活情報を容易に取得することができる。これによれば、情報管理センター６０は、子供の睡眠時間や食事といった従来は取得が困難であった育児に関する詳細な情報の統計をとることができる。また、詳細は後述するが、端末装置２５が平常値と大幅に異なる生活情報に基づいて注意情報を作成し、病院サーバ５へ送信することにより、病院５０は、平常値と異なる睡眠時間といった注意情報を考慮して検診や育児指導を行うことができる。
【００５２】
また、病院５０において医者や看護士は、電子ペン１０を使用して、母子に対する検診結果や予防接種履歴といった健康に関する情報を記入することにより、時間と対応づけた健康情報を容易に取得し、病院サーバ５で管理することができる。つまり、医者や看護士は、電子ペン１０を使用して健康手帳３へ記入するだけで、検診結果や予防接種履歴を電子データとして病院サーバ５で管理することができる。さらに、病院サーバ５が取得した健康情報を端末装置２５へ送信することにより、利用者は、当該健康情報を電子データとして端末装置２５に保存することができる。よって、健康手帳３を紛失したり、転院したりした場合でも健康情報が消滅することはなく、利用者は蓄積された健康情報を継続して利用することができる。
【００５３】
また、病院サーバ５が取得した健康情報を管理サーバ６へ送信することにより、管理サーバ６は、複数の病院５０から複数の利用者の健康情報を容易に取得し、一元管理することができる。これによれば、管理サーバ６は、利用者が里帰りなどで複数の病院５０において検診や予防接種を行った場合でも、利用者毎に健康情報を漏れなく管理することができる。そのため、管理サーバ６は、公費負担の検診や予防接種を受けていない利用者のリストを作成し、当該利用者に告知するといった作業を簡便に行うことができる。また、管理サーバ６が一元管理している健康情報と各病院から取得した健康情報との差分情報を病院５０へ送信することにより、病院サーバ５は、利用者が他の病院で行った検診結果や予防接種履歴を考慮して検診や育児指導を行うことができる。
【００５４】
こうして、健康管理システム１００は、利用者端末２５、病院サーバ５及び管理サーバ６において利用者の生活情報や健康情報を容易に取得し、当該情報共有することで重要な健康管理情報として相互に利用することができる。
【００５５】
［健康手帳・チェック帳票］
次に、各構成要素について個別に説明する。まず、健康手帳３及びチェック帳票４について説明する。健康手帳３は、例えば、母子健康手帳といった利用者の健康に関する情報が記入される紙媒体である。また、チェック帳票４は、例えば、育児記録のような利用者の生活に関する情報が記入される紙媒体である。
【００５６】
ここで、本発明のシステム１００では、健康手帳３及びチェック帳票４は上述した専用ペーパーとして作成されている。即ち、図５に例示するように、台紙３０上に所定のドットパターン３２が印刷されており、その上に所定の項目や図柄が印刷されている。先に述べたように、ドットパターン３２は電子ペン１０が認識することができるように、カーボンを含んだインキにより印刷されている。一方、項目や図柄などの図案３４は、通常の（カーボンを含まない）インキにより印刷されているため、電子ペン１０がそれを認識することはない。
【００５７】
健康手帳３の例を図８（ａ）に示す。図示のように、健康手帳３の１ページには、身長や体重、予防接種履歴などを記入する項目４１乃至４５が印刷されている。また、健康手帳３の各ページには、前述の送信コマンドを送信するための送信ボックス４８が印刷されている。
【００５８】
図８（ａ）に示す項目４１乃至４５に対応する印刷エリアの配置を図８（ｂ）に示す。図８（ａ）及び（ｂ）から理解されるように、各項目４１乃至４５は、項目の印刷後のサイズなどに応じて予め設定された個々のエリア１−１乃至１−５に対して印刷される。各エリア１−１乃至１−５は、健康手帳３の当該ページ上における位置座標（ＸＹ座標）により規定されている。例えば、エリア１−１は、座標（０，０）〜座標（ｘ１，ｙ１）で規定される範囲とされる。なお、本例では、第１ページ上に規定されるエリアを１−１、１−２、．．と示し、第２ページ上に規定されるエリアを２−１、２−２、．．と示すこととしている。
【００５９】
健康手帳３は、ページ毎に異なるドットパターンが印刷されている。よって、医者や看護士が電子ペン１０を使用して健康手帳３の特定のページ上の特定の位置に記入を行うと、電子ペン１０はドットパターンに基づいて、健康手帳３のどのページ上のどの座標に記入が行われたかを示すデータを生成する。つまり、電子ペン１０は、記入が行われたページを示すデータ及び位置座標を示すデータを生成し、内部のメモリ１２に記憶する。
【００６０】
従って、利用者が図８（ａ）に例示するページを開き、例えば「ポリオ」の予防接種を受けたという履歴を残すために項目４３の上に電子ペン１０でチェックマークを記入すると、電子ペン１０はそのページ情報及び記入位置座標（以下、両者を含めて「記入データ」と呼ぶ。）を取得し、メモリ１２に記憶する。そして、利用者が健康手帳３上に設けられている送信ボックス４８をチェックすると、メモリ１２内に記憶されていた記入データが電子ペン１０から所定の端末装置２５へ送信される。
【００６１】
なお、電子ペン１０内のプロセッサ１１は、上述のように利用者の記入をタイムスタンプ（時間情報）と関連付けてメモリ１２に記憶している。よって、電子ペン１０が所定の端末装置２５へ送信するデータは、記入データのみならず、記入データが記入されたタイムスタンプに基づく時間データも含むものとする。そのため、図８（ａ）の例示では、項目４３へのチェックの横に「２００１／５／１２」と記入されているが、これは健康手帳３をみることにより利用者が目視で予防接種履歴を確認できるようにするためである。電子データとしては、文字として日付が記入されていなくても、上述のように時間データに含まれる記入時刻により把握することができる。
【００６２】
次に、チェック帳票４の例を図９に示す。チェック帳票４は、図９（ａ）乃至（ｅ）がそれぞれ示す複数のチェック帳票４ａ乃至４ｅを含んでいる。ここで、チェック帳票４ａ乃至４ｅはそれぞれ異なるドットパターンが印刷されており、チェック帳票４ａ乃至４ｅを構成する項目やチェックボックスは予め設定されたドットパターン上の位置座標に対して印刷されているものとする。このため、上述した健康手帳３と同様に、利用者が電子ペン１０を使用してチェック帳票４ａ乃至４ｅに記入を行うと、電子ペン１０はドットパターンに基づいて、チェック帳票４ａ乃至４ｅのうちいずれの帳票のどの座標に記入が行われたかを示す記入データを生成する。よって、端末装置２５は、電子ペン１０から受信する当該記入データに基づいて、利用者がチェック帳票４ａ乃至４ｅに記入した様々な生活情報を取得することができる。なお、チェック帳票４ａ乃至４ｅは、前述の送信コマンドを送信するための送信ボックスが印刷されているが、便宜上図９において送信ボックスは省略する。
【００６３】
まず、チェック帳票４ａについて説明する。チェック帳票４ａは、利用者が睡眠時間に関する情報を記入する紙媒体であり、チェックを行うと考えられる場所（例えば寝室など）に用意しておくものである。チェック帳票４ａは、図９（ａ）に示すように、時計の図柄に対応付けて、就寝時刻を記入する数字の外側のチェックボックス及び起床時刻を記入する数字の内側のチェックボックスが印刷されている。具体的に、就寝時刻が午後８時の場合、利用者は電子ペン１０を使用してまず数字「８」の外側のチェックボックス７１にチェックマークを記入し、次に数字「１２」の外側のチェックボックス７２にチェックマークを記入する。また、起床時刻が午前７時の場合、利用者は電子ペン１０を使用してまず数字「７」の内側のチェックボックス７３にチェックマークを記入し、次に数字「１２」の内側のチェックボックス７４にチェックマークを記入する。
【００６４】
このように、利用者が所定の時刻における短針の位置をチェックした後、長針の位置をチェックすると、電子ペン１０は、チェック帳票４ａに印刷されたドットパターン上の記入位置座標を示すデータを取得し、メモリ１２に記憶する。そして、利用者がチェック帳票４ａ上に設けられている送信ボックスにチェックマークを記入すると、メモリ１２内に記憶されていた記入位置座標が記入データとして電子ペン１０から端末装置２５へ送信される。これによれば、端末装置２５は、利用者の記入に基づいて就寝時刻と起床時刻の情報を取得することができ、２つの時刻の差分により睡眠時間を容易に算出することができる。
【００６５】
なお、電子ペン１０は記入データが記入されたタイムスタンプに基づく時間データを記憶しているため、チェック帳票４ａ上の任意の位置に１回チェックマークを記入するだけで、当該記入を行った時刻を取得することができる。即ち、１回の記入で就寝時刻又は起床時刻のいずれか一方を把握することができる。しかし、本発明では、就寝時刻と起床時刻に関する電子データを端末装置２５が取得するとともに、利用者の手元に残るチェック帳票４ａにより利用者が目視で就寝時刻と起床時刻を確認することができるようにするため、上述のように、長針及び短針の位置に対応するチェックボックスに記入を行うこととしている。
【００６６】
また、チェック帳票４ａは、睡眠に関する情報に限らず、お風呂場において入浴前と入浴後にチェックマークを記入することにより入浴時間を取得するなど、生活に関する時間を取得する場合に適用することが可能である。さらに、上述の例では、時計の図柄に対応付けて数字の内側と外側にチェックボックスを設けることとしているが、本発明はこれに限定されるものではなく、就寝時刻と起床時刻でチェックマークを異なるものとするなど、チェック帳票４ａの構成は任意に設定することができる。
【００６７】
次に、チェック帳票４ｂについて説明する。チェック帳票４ｂは、利用者が体温に関する情報を記入する紙媒体であり、チェックを行うと考えられる場所に用意しておく（例えば体温計のケースに貼付しておくなど）ものである。チェック帳票４ｂは、図９（ｂ）に示すように、体温計の目盛りに対応付けられた数字が印刷されている。具体的に、体温が３６度の場合、利用者は電子ペンを使用して数字「３６」に対応する位置にチェックマーク８１を記入する。このように、利用者が所定の体温に対応する位置をチェックすると、電子ペン１０は、チェック帳票４ｂに印刷されたドットパターン上の記入位置座標を示すデータを取得し、記入データとして端末装置２５へ送信する。これによれば、端末装置２５は、利用者の記入に基づき、時間情報と対応付けて体温の情報を取得することができる。
【００６８】
次に、チェック帳票４ｃについて説明する。チェック帳票４ｃは、利用者が食事に関する情報を記入する紙媒体であり、チェックを行うと考えられる場所（例えばダイニングなど）に用意しておくものである。チェック帳票４ｃは、図９（ｃ）に示すように、食事の種類と食材リストに対応付けられたチェックボックスが印刷されている。具体的に、昼食が蕎麦であった場合、利用者は電子ペン１０を使用して食事の種類「昼食」に対応するチェックボックス８３と、食材リスト「麺類」に対応するチェックボックス８５にそれぞれチェックマークを記入する。このように、利用者が所定の食事の種類と食材リストに対応するチェックボックスをチェックすると、電子ペン１０は、チェック帳票４ｃに印刷されたドットパターン上の記入位置座標を示すデータを取得し、記入データとして端末装置２５へ送信する。これによれば、端末装置２５は、利用者の記入に基づき、時間情報と対応付けて食事の種類と当該食事の食材の情報を取得することができる。また、食事開始時に食事の種類をチェックし、食事開始後に食事の食材をチェックすることで食事に要した時間も容易に算出し、取得することができる。
【００６９】
次に、チェック帳票４ｄについて説明する。チェック帳票４ｄは、利用者がミルクに関する情報を記入する紙媒体であり、チェックを行うと考えられる場所に用意しておく（例えば哺乳瓶に貼付しておくなど）ものである。チェック帳票４ｄは、図９（ｄ）に示すように、哺乳瓶の目盛りに対応付けられた数字が印刷されている。具体的に、ミルクを哺乳瓶に２００ｍｌ用意し乳児が５０ｍｌ飲み残した場合、利用者は電子ペン１０を使用してまず数字「２００」に対応する位置にチェックマーク８７を記入し、次に数字「５０」に対応する位置にチェックマーク８９を記入する。このように、利用者が所定のミルクの量に対応する位置をチェックすると、電子ペン１０は、チェック帳票４ｄに印刷されたドットパターン上の記入位置座標を示すデータを取得し、記入データとして端末装置２５へ送信する。これによれば、端末装置２５は、利用者の記入に基づき、時間情報と対応付けてミルクを用意した量と乳児が飲み残した量の情報を取得することができ、２つの量の差分により乳児がミルクを飲んだ量を容易に算出することができる。
【００７０】
次に、チェック帳票４ｅについて説明する。チェック帳票４ｅは、利用者が子供の排便に関する情報を記入する紙媒体であり、チェックを行うと考えられる場所に用意しておく（例えばオムツに貼付しておくなど）ものである。チェック帳票４ｅは、図９（ｅ）に示すように、便の色と量に対応付けられたチェックボックスが印刷されている。具体的に、子供の便の色が白っぽく普通の量であった場合、利用者は電子ペンを使用して排便の色「白」に対応するチェックボックス９１と、便の量「普通」に対応するチェックボックス９３にそれぞれチェックマークを記入する。このように、利用者が所定の便の色と量に対応するチェックボックスをチェックすると、電子ペン１０は、チェック帳票４ｅに印刷されたドットパターン上の記入位置座標を示すデータを取得し、記入データとして端末装置２５へ送信する。これによれば、端末装置２５は、利用者の記入に基づき、時間情報と対応付けて排便の色と量の情報を取得することができる。また、１日の排便の回数も容易に取得することができる。
【００７１】
［端末装置］
次に、端末装置２５について詳しく説明する。図１０は、本発明の健康管理システム１００における端末装置２５、病院サーバ５及び管理サーバ６の内部構成を示す。図示のように端末装置２５は、健康情報取得機能２５１、生活情報特定機能２５２、生活テーブル更新機能２５３、睡眠テーブル２５４、体温テーブル２５５、ミルクテーブル２５６、食事テーブル２５７、排便テーブル２５８、健康テーブル２５９、平常値テーブル２６０及び注意情報作成機能２６１、告知情報取得機能２６２を有する。なお、各機能は、端末装置２５が有するＣＰＵが予め用意されたプログラムを実行することにより実現される。
【００７２】
健康情報取得機能２５１は、医者や看護士が健康手帳３に記入した利用者の健康に関する情報を病院サーバ５から取得する機能である。また、健康情報取得機能２５１は、取得した健康情報に基づいて健康テーブル２５９を更新する。
【００７３】
生活情報特定機能２５２は、利用者がチェック帳票４に記入した生活に関する情報を、記入データに含まれる位置座標に基づいて特定する機能である。このとき、時間データに含まれる時間情報に基づく記入時刻も特定される。なお、生活情報特定機能２５２は、特定した生活情報を管理サーバ６へ送信する。
【００７４】
生活テーブル更新機能２５３は、生活情報特定機能２５２が特定した生活情報に基づいて、睡眠テーブル２５４、体温テーブル２５５、ミルクテーブル２５６、食事テーブル２５７及び排便テーブル２５８のうちの該当するテーブルを更新する機能である。具体的に、睡眠テーブル２５４は、図１１に示すように、テーブル管理上発行された識別情報である睡眠ＩＤをキーとして、日付、就寝時刻、起床時刻及び睡眠時間が記憶されている。なお、テーブル２５５乃至２５８も、睡眠テーブル２５４と同様に、テーブル管理上発行された識別情報をキーとして記入時刻及び各生活情報が記憶されているが、便宜上説明は省略する。
【００７５】
注意情報作成機能２６１は、健康情報取得機能２５１が更新した健康テーブル２５９と平常値テーブル２６０に基づいて健康注意情報を作成する機能である。また、注意情報作成機能２６１は、生活テーブル更新機能２５３が更新したテーブル２５４乃至２５８と平常値テーブル２６０に基づいて生活注意情報を作成する機能である。ここで、平常値テーブルとは、健康情報や生活情報に含まれる様々な値の平常値が予め記憶されたテーブルである。なお、注意情報作成機能２６１は、作成した健康注意情報及び生活注意情報を病院サーバ５へ送信する。
【００７６】
具体的に、平常値テーブル２６０に５歳男児の体重として「１４〜２２ｋｇ」と記憶されていた場合、健康テーブル２５９の最新データとして５歳男児の体重が「１０ｋｇ」と記憶されていれば、注意情報作成機能２６１は体重に関する健康注意情報を作成する。一方、最新データとして５歳男児の体重が「２０ｋｇ」と記憶されていれば、注意情報作成機能２６１は健康注意情報を作成しない。また、平常値テーブルに睡眠時間が「５〜１４時間」と記憶されていた場合、睡眠テーブル２５４の最新データとして睡眠時間が「３時間」と記憶されていた場合、注意情報作成機能２６１は睡眠時間に関する生活注意情報を作成する。一方、最新データとして睡眠時間が「１０時間」と記憶されていた場合、注意情報作成機能２６１は生活注意情報を作成しない。
【００７７】
告知情報取得機能２６２は、管理サーバ６が作成した告知情報を取得する機能である。ここで、告知情報とは、利用者が未だ受けていない公費負担の検診や予防接種の情報などである。利用者は、情報管理センター６０からの告知情報に基づいて必要な検診や予防接種といった健康に関する情報を容易に認識することができる。
【００７８】
［病院サーバ］
次に、図１０を参照し、病院サーバ５について詳しく説明する。図示のように病院サーバ５は、健康情報特定機能５０１、注意情報取得機能５０２、差分情報取得機能５０３及び病院ＤＢ更新機能５０４を有する。なお、各機能は、病院サーバ５が有するＣＰＵが予め用意されたプログラムを実行することにより実現される。
【００７９】
健康情報特定機能５０１は、医者や看護士が健康手帳３に記入した利用者の健康に関する情報を、記入データに含まれる位置座標に基づいて特定する機能である。このとき、時間データに含まれる時間情報に基づく記入時刻も特定される。また、健康情報特定機能５０３は、特定した健康情報を端末装置２５及び管理サーバ６へ送信する。
【００８０】
注意情報取得機能５０２は、端末装置２５から健康注意情報及び生活注意情報を取得する機能である。
【００８１】
差分情報取得機能５０３は、管理サーバ６から差分情報を取得する機能である。
【００８２】
病院ＤＢ更新機能５０４は、健康情報特定機能５０１が特定した健康情報と、注意情報取得機能５０２が取得した健康注意情報及び生活注意情報と、差分情報取得機能５０３が取得した差分情報と、に基づいて病院ＤＢ５１を更新する機能である。
【００８３】
具体的に、病院ＤＢ５１は、図１２に示すように、ペンＩＤをキーとして、利用者名、更新日付、健康情報及び生活情報が記憶されている。ここで、ペンＩＤは、上述のように記入データに含まれる電子ペン１０の識別情報であり、本実施形態では利用者を特定する識別情報であるとする。つまり、複数の利用者が１つの電子ペン１０を使用するのではなく、１人の利用者が必ず１つの電子ペン１０を使用することとする。また、利用者名は、ペンＩＤにより特定される利用者の名前である。更新日付は病院ＤＢ５１を更新した最新の日付である。健康情報は、さらに複数の項目から構成されており、例えば、予防接種履歴などが、健康情報を取得する都度更新される。また、生活情報も、さらに複数の項目から構成されており、例えば平均睡眠時間などが生活情報を取得する都度算出し更新される。
【００８４】
［管理サーバ］
次に、図１０を参照し、管理サーバ６について詳しく説明する。図示のように管理サーバ６は、健康情報取得機能６０１、生活情報取得機能６０２、管理ＤＢ更新機能６０３、利用者ＤＢ更新機能６０４、差分情報作成機能６０５、告知情報作成機能６０６及び統計情報反映機能６０７を有する。なお、各機能は、管理サーバ６が有するＣＰＵが予め容易されたプログラムを実行することにより実現される。
【００８５】
健康情報取得機能６０１は、複数の病院サーバ５から医者や看護士が健康手帳３に記入した利用者の健康に関する情報を取得する機能である。
【００８６】
生活情報取得機能６０２は、複数の端末装置２５から利用者がチェック帳票４に記入した生活に関する情報を取得する機能である。
【００８７】
管理ＤＢ更新機能６０３は、健康情報取得機能６０１が取得した健康情報と、生活情報取得機能６０２が取得した生活情報に基づいて管理ＤＢ６１を更新する機能である。具体的に管理ＤＢ６１は、図１３に示すように、ＤＢ管理上発行された識別情報である管理ＩＤをキーとして、ペンＩＤ、健康情報及び生活情報が記憶されている。ここで、ペンＩＤは、上述のように記入データに含まれる電子ペン１０の識別情報であり、本実施形態では利用者を特定する識別情報であるとする。健康情報は、さらに複数の項目から構成されており、取得した健康情報に基づいて、例えば子供の年齢、身長、体重、予防接種履歴などが更新される。生活情報も、さらに複数の項目から構成されており、例えば睡眠時間、体温、ミルク量などが取得した生活情報に基づいて更新される。
【００８８】
利用者ＤＢ更新機能６０４は、健康情報取得機能６０１が取得した健康情報に基づいて利用者ＤＢ６２を更新する機能である。具体的に利用者ＤＢ６２は、利用者を特定するペンＩＤをキーとし、利用者名に対応付けて、ワクチンの種類毎の予防接種履歴が更新されている。利用者ＤＢ更新機能６０４は、健康情報に基づいて公費負担の予防接種履歴を確認し、その都度利用者ＤＢ６１を更新する。
【００８９】
差分情報作成機能６０５は、ペンＩＤに基づいて、病院サーバ５から取得する健康情報と利用者ＤＢ６２に含まれる健康情報の差分情報を作成する機能である。具体的には、利用者が里帰りなどで病院を転院し、転院前の病院Ａで「ポリオ」の予防接種を受け、転院後の病院Ｂで「はしか」の予防接種を受けたとする。この場合、病院Ａの病院ＤＢ５１では利用者の健康情報として「ポリオ」の予防接種を受けたことは記憶されているが、「はしか」の予防接種を受けたことは記憶されていない。一方、病院Ｂの病院ＤＢ５１では利用者の情報として「ポリオ」の予防接種を受けたことは記憶されていないが、「はしか」の予防接種を受けたことは記憶されている。つまり、利用者が複数の病院で検診を受けた場合、健康情報の整合性が取れていないという問題がある。しかし、利用者が検診を受けた全ての病院５０から健康情報を取得することで、管理サーバ６が健康情報を一括管理し、当該一括管理している健康情報と各病院から取得した健康情報の差分情報を該当する病院へ送信することとすれば、容易に利用者毎の健康情報について整合性をとることが可能となる。即ち、病院Ａの病院ＤＢ５１において、他の病院Ｂで受けた「はしか」の予防接種に関する情報を利用者の健康情報として記憶することができる。
【００９０】
告知情報作成機能６０６は、利用者ＤＢ６２に基づいて公費負担の予防接種や検診を未だ受けていない利用者をリスト化し、当該リストに基づいて告知情報を作成する機能である。告知情報は、具体的に、予防接種や検診の案内などである。
【００９１】
統計情報反映機能６０７は、管理ＤＢ６１に基づいて利用者の健康情報及び生活情報における統計情報を作成する機能である。また、統計情報反映機能６０７は、当該統計情報を健康手帳３に掲載したり、病院サーバ５及び端末装置２５へ送信したりすることで反映させる機能である。
【００９２】
［データ交換処理］
次に、上記の健康管理システム１００により実行されるデータ交換処理について説明する。図１５は第１データ交換処理のフローチャートであり、図１６は第２データ交換処理のフローチャートである。なお、データ交換処理は第１データ交換処理と第２データ交換処理の双方を行うものである。
【００９３】
図１５を参照して、第１データ交換処理について説明する。第１データ交換処理では、まず、病院５０において医者や看護士が電子ペン１０を使用して健康手帳３に利用者の健康に関する情報を記入する。具体的に、医者や看護士は、図８（ａ）に示すような健康手帳３における項目４３にチェックマークを記入することにより、利用者が「ポリオ」の予防接種を受けたことを記入する。そして、健康手帳３上の送信ボックス４８にチェックマークを記入することにより、電子ペン１０は、利用者が「ポリオ」の予防接種を受けたという情報を含む記入データ及び時間データを手帳データとして病院サーバ５へ送信する。
【００９４】
病院サーバ５は、手帳データとして記入データ及び時間データを取得する（ステップＳ１）。そして、病院サーバ５は、記入データに含まれるドットパターン上の位置座標に基づいて医者や看護士が記入した健康情報を特定する（ステップＳ２）。例えば、利用者が「ポリオ」の予防接種を受けたという情報を特定する。なお、病院サーバ５は時間データに含まれる記入時刻も特定し、当該健康情報には特定した記入時刻も含まれているものとする。つまり、健康情報は、具体的に、利用者が「ポリオの予防接種を２００１年５月１２日１３時５分に受けた」という情報を含んでいる。さらに、病院サーバ５は、健康情報を端末装置２５へ送信する。端末装置２５は、病院サーバ５から取得した健康情報に基づいて健康テーブル２５９を更新する（ステップＳ３）。そして、端末装置２５は、更新した健康テーブル２５９と平常値テーブル２６０に基づいて健康注意情報を作成する（ステップＳ４）。
【００９５】
一方、自宅において利用者は電子ペン１０を使用してチェック帳票４に生活に関する情報を記入する。具体的に、利用者は、図９（ａ）に示すような睡眠時間を記入するためのチェック帳票４ａの項目にチェックマークを記入することにより、就寝時刻と起床時刻を記入する。そして、チェック帳票４ａ上の送信ボックスにチェックマークを記入することにより、電子ペン１０は、利用者の就寝時刻と起床時刻の情報を含む記入データ及び時間データをチェックデータとして端末装置２５へ送信する。
【００９６】
端末装置２５は、チェックデータとして記入データ及び時間データを取得する（ステップＳ５）。そして、端末装置２５は、記入データに含まれるドットパターン上の位置座標に基づいて利用者が記入した生活情報を特定する（ステップＳ６）。なお、端末装置２５は時間データに含まれる記入時刻も特定し、当該生活情報には特定した記入時刻も含まれているものとする。さらに、端末装置２５は、特定した生活情報に基づいて該当するテーブル２５４乃至２５８を更新する（ステップＳ７）。具体的に、生活情報として利用者の就寝時刻と起床時刻の情報を特定した場合、端末装置２５は、当該生活情報に基づいて睡眠テーブル２５４を更新する。
【００９７】
そして、端末装置２５は、更新したテーブル２５４乃至２５８と平常値テーブル２６０に基づいて生活注意情報を作成する（ステップＳ８）。そして、端末装置２５は、ステップＳ４で作成した健康注意情報と、ステップＳ８で作成した生活注意情報を注意情報として病院サーバ５へ送信する（ステップＳ９）。病院サーバ５は、端末装置２５から取得した注意情報とステップＳ２で特定した健康情報に基づいて病院ＤＢ５１を更新する。こうして、第１データ交換処理は終了する。
【００９８】
次に、図１６を参照して、第２データ交換処理について説明する。第２データ交換処理では、まず、病院サーバ５がステップＳ２において取得した健康情報を管理サーバ６へ送信する（ステップＳ２１）。管理サーバ６は、取得した健康情報に基づいて利用者ＤＢ６２を更新する（ステップＳ２２）。そして、管理サーバ６は、ペンＩＤをキーとして更新した利用者ＤＢ６２に含まれる健康情報と各病院サーバ５から受信する健康情報の差分情報を作成し、当該差分情報を該当する病院サーバ５へ送信する（ステップＳ２３）。病院サーバ５は、管理サーバ６から取得した差分情報に基づいて病院ＤＢ５１を更新する（ステップＳ２４）。
【００９９】
また、管理サーバ６は、ステップＳ２２において更新した利用者ＤＢに基づいて告知情報を作成し、当該告知情報を端末装置２５へ送信する（ステップＳ２５）。端末装置２５は、告知情報を取得する（ステップＳ２６）。そして、端末装置２５は、ステップＳ６において特定した生活情報を管理サーバ６へ送信する（ステップＳ２７）。管理サーバ６は、ステップＳ２１において取得した健康情報と、ステップＳ２７において取得した生活情報に基づいて管理ＤＢ６１を更新する（ステップＳ２８）。そして、管理サーバ６は、管理ＤＢ６１に基づいて統計情報を作成し（ステップＳ２９）、当該統計情報を健康手帳３に記載したり、病院サーバ５及び利用者端末２５へ送信したりすることにより反映させる。こうして、第２データ交換処理は終了する。
【０１００】
このように本発明の健康管理システム１００では、利用者がその行為を行う場所に用意されたチェック帳票４へ電子ペン１０を使用して記入を行うだけで、容易に生活に関する情報を電子データとして端末装置２５で管理することができる。即ち、母親が育児をしながら意識せずに育児記録を行うことができ、その育児記録を生活情報として容易に電子データ化することができる。よって、電子データ化した生活情報を利用者端末２５、病院サーバ５及び管理サーバ６において共有し、相互に利用することが可能となる。さらに、端末装置２５は、自身が取得した生活情報、病院サーバ５から取得した健康情報に基づいて平常値と比較することにより、自動で注意情報を作成することができる。これにより、利用者は、通常と異なる生活習慣や健康状態を自己の端末装置２５により認識することができる。また、注意情報を病院サーバ５へ送信することにより、医者は通常と異なる生活習慣や健康状態を認識し、考慮した上で利用者の検診を行うことができる。よって、医者は口頭で利用者から得た情報のみで検診するときよりも注意情報を考慮して的確な診断を行うことができる。
【０１０１】
また、本発明の健康管理システム１００では、医者や看護士が健康手帳３へ電子ペンを使用して記入を行うだけで、容易に健康に関する情報を電子データとして病院サーバ５で管理することができる。よって、健康情報を利用者端末２５、病院サーバ５及び管理サーバ６において容易に共有し、相互に利用することができる。さらに、管理サーバ６は、複数の病院サーバ５から健康情報を取得し、複数の端末装置から生活情報を取得することで、全ての健康情報及び生活情報を一元管理することができる。そのため、差分情報を病院サーバ５へ提供したり、告知情報を端末装置２５へ提供したりする作業を自動で容易に行うことができる。これによれば、病院５０は、利用者が他の病院から転院してきた場合であっても漏れなく健康情報を取得することができるため、的確な診断を行うことができる。また、利用者は、告知情報により公費負担の予防接種や検診などで受け忘れがないか確認することができる。
【０１０２】
また、本発明の健康管理システム１００では、利用者が健康手帳３を紛失した場合であっても健康情報が消滅するわけではないため、容易にそれまでの健康情報を修復することができる。また、利用者が遠隔地におり医者と電話相談している場合においても健康情報や生活情報に基づいて当該医者は的確にアドバイスをすることができる。よって、遠隔地の育児支援を行うことができる。さらに、管理サーバ６は利用者から生活情報を取得することで、従来と異なり把握することが困難であった細かな育児状況に関する統計情報を作成することができる。この統計情報を健康手帳３へ記載したり、利用者端末２５及び病院サーバ５へ送信したりすることにより、利用者や医者が詳細な統計情報を自由に利用することができる。
【０１０３】
なお、上記の実施形態では、健康手帳３及びチェック帳票４を図８及び図９に示すような構成としているが、本発明はこれに限定されるものではなく、任意の構成とすることができる。また、チェック帳票４への記入はインクを抜いた電子ペン１０により行うこととしてもよい。これによれば、１枚のチェック帳票４を何度も使用することができるため経済的である。
【０１０４】
また、本実施形態では、ペンＩＤにより利用者を特定することとしているが、本発明はこれに限定されるものではなく、複数の環境において利用者を識別するための共通の識別情報である利用者ＩＤを発行することとしてもよい。
【０１０５】
また、生活情報や健康情報などを他のサーバや端末へ送信するデータ交換のタイミングは本実施形態に限定されるものではなく任意に設定することが可能である。さらに、上記の実施形態では、健康手帳３への記入を病院５０において医者や看護士が行うこととしている。しかし、本発明はこれに限定されるものではなく、健康手帳３への記入を自宅において利用者が行う場合は端末装置２５が管理することとしてもよい。
【０１０６】
【発明の効果】
以上説明したように、本発明によれば、利用者の健康情報や生活情報を容易に取得し、複数の環境において情報を共有することにより相互に重要な健康管理情報として利用することができる。
【図面の簡単な説明】
【図１】電子ペンの使用形態を模式的に示す図である。
【図２】電子ペンの構造を示す機能ブロック図である。
【図３】専用ペーパーに印刷されたドットパターンによる情報の表現方法を説明する図である。
【図４】ドットパターン及びそれに対応する情報の例を示す。
【図５】専用ペーパーにより構成される帳票の構造を示す。
【図６】電子ペン用帳票の例を示す。
【図７】本発明による健康管理システムの概略構成を示す図である。
【図８】健康手帳の例を示す。
【図９】チェック帳票の例を示す。
【図１０】図７に示す健康管理システムに含まれる端末装置、病院サーバ及び管理サーバの機能ブロック図である。
【図１１】本発明における睡眠テーブルのデータ構造を模式的に示す図である。
【図１２】本発明における病院ＤＢのデータ構造を模式的に示す図である。
【図１３】本発明における管理ＤＢのデータ構造を模式的に示す図である。
【図１４】本発明における利用者ＤＢのデータ構造を模式的に示す図である。
【図１５】本発明による第１データ交換処理のフローチャートである。
【図１６】本発明による第２データ交換処理のフローチャートである。
【符号の説明】
２      ネットワーク
３      健康手帳
４      チェック帳票
５      病院サーバ
６      管理サーバ
１０    電子ペン
１１    プロセッサ
１２    メモリ
１３    データ通信ユニット
１４    バッテリー
２５    端末装置
２６    問い合わせサーバ
２７    サービスサーバ
１００  健康管理システム
【図１】
2005031881.tif 000003
【図２】
2005031881.tif 000004
【図３】
2005031881.tif 000005
【図４】
2005031881.tif 000006
【図５】
2005031881.tif 000007
【図６】
2005031881.tif 000008
【図７】
2005031881.tif 000009
【図８】
2005031881.tif 000010
【図９】
2005031881.tif 000011
【図１０】
2005031881.tif 000012
【図１１】
2005031881.tif 000013
【図１２】
2005031881.tif 000014
【図１３】
2005031881.tif 000015
【図１４】
2005031881.tif 000016
【図１５】
2005031881.tif 000017
【図１６】
2005031881.tif 000018